(57)【要約】【課題】  組立が容易で且つより安定して駆動できるリール駆動装置及びそれを有する磁気記録再生装置を提供する。【解決手段】  本発明のリール駆動装置は、デッキシャーシの下方に少なくとも一部が突出するように設けられた駆動部と、駆動部に動力を伝達する伝動部と、前記駆動部と噛み合い、前記駆動部の回転方向に沿って複数のリールテーブルに選択的に動力を伝達する動力切り換え部と、前記駆動部を支持する固定部とを含む。【選択図】      図６
2006054043.tif 000002
【特許請求の範囲】
【請求項１】
デッキシャーシの下方に少なくとも一部が突出するように設けられた駆動部と、
駆動部に動力を伝達する伝動部と、
前記駆動部と噛み合い、前記駆動部の回転方向に沿って複数のリールテーブルに選択的に動力を伝達する動力切り換え部と、
前記駆動部を支持する固定部とを含むことを特徴とする磁気記録／再生装置のリール駆動装置。
【請求項２】
前記駆動部が、前記伝動部と連動する被動プーリー部、及び前記動力切り換え部と噛み合う第１のギア部を含む駆動ギアを含むことを特徴とする請求項１に記載の磁気記録／再生装置のリール駆動装置。
【請求項３】
前記固定部が、前記デッキシャーシの上方に所定の距離を有して突設され、前記被動プーリー部を前記デッキシャーシの下方に少なくとも一部突出するように支持することを特徴とする請求項２に記載の磁気記録／再生装置のリール駆動装置。
【請求項４】
前記固定部が、前記駆動部を支持する駆動軸を固定する固定ブラケットを含むことを特徴とする請求項３に記載の磁気記録／再生装置のリール駆動装置。
【請求項５】
前記伝動部が、キャプスタンモーターと連結され駆動プーリー部を備えるキャプスタンギアと、前記駆動プーリー部と前記被動プーリー部とを連動する伝動ベルトと、を含むことを特徴とする請求項４に記載の磁気記録／再生装置のリール駆動装置。
【請求項６】
前記動力切り換え部が、アイドルギアと、前記アイドルギアを前記第１のギア部と噛み合わせて支持し、前記アイドルギアを前記駆動軸に対し旋回するように支持するアイドルプレートとを含むことを特徴とする請求項５に記載の磁気記録／再生装置のリール駆動装置。
【請求項７】
前記動力切り換え部が、騒音または動作不良が発生しないように逃避開口をさらに含むことを特徴とする請求項６に記載の磁気記録／再生装置のリール駆動装置。
【請求項８】
前記逃避開口が、前記アイドルギアの動作軌跡に対応する面積及び大きさにて前記デッキシャーシに形成されたことを特徴とする請求項７に記載の磁気記録／再生装置のリール駆動装置。
【請求項９】
デッキシャーシに設けられ、テープカセットのリールが収められる複数のリールテーブルと、
前記デッキシャーシに設けられたキャプスタンモーターと、
デッキシャーシの下方に少なくとも一部が突出するように、前記２つのリールテーブルの間に設けられた駆動部と、
前記デッキシャーシの下面に配され、前記キャプスタンモーターの動力を前記駆動部に伝達する伝動部と、
前記駆動部と連動し、前記駆動部の回転方向に沿って前記リールテーブルのいずれかに選択的に動力を伝達する動力切り換え部と、
前記駆動部が回転できるように支持する固定部とを含むことを特徴とする磁気記録／再生装置。
【請求項１０】
前記駆動部が、前記伝動部と連動する被動プーリー部、及び前記動力切り換え部と噛み合う第１のギア部を含む駆動ギアを含むことを特徴とする請求項９に記載の磁気記録／再生装置。
【請求項１１】
前記固定部が、前記デッキシャーシの上方に所定の距離を有して突設され、固定ブラケットを含み、
前記固定ブラケットが、前記被動プーリー部を前記デッキシャーシの下方に少なくとも一部突出するように支持する駆動軸を固定することを特徴とする請求項１０に記載の磁気記録／再生装置。
【請求項１２】
前記伝動部が、キャプスタンモーターと連結され駆動プーリー部を備えるキャプスタンギアと、前記駆動プーリー部と前記被動プーリー部とを連動する伝動ベルトと、を含むことを特徴とする請求項１１に記載の磁気記録／再生装置。
【請求項１３】
前記動力切り換え部が、アイドルギアと、前記アイドルギアを前記第１のギア部と噛み合わせて支持し、前記アイドルギアを前記駆動軸に対し旋回するように支持するアイドルプレートと、前記アイドルギアの動作軌跡に対応する面積及び大きさにて前記デッキシャーシに形成された逃避開口とを含むことを特徴とする請求項１２に記載の磁気記録／再生装置。
【発明の詳細な説明】
【技術分野】
【０００１】
本発明は、ビデオテープレコーダー（ＶＴＲ）、カムコーダー（ＣＡＭＣＯＲＤＥＲ）などのような磁気記録／再生装置に係り、より詳しくは、テープカセットのリールが収められるリールテーブルを回動するためのリール駆動装置及びそれを有する磁気記録／再生装置に係る。
【背景技術】
【０００２】
一般に、ビデオテープレコーダー、カムコーダーなどのような磁気記録／再生装置は、テープカセットのリールを回転させてヘッドドラムに磁気テープを送り出し／巻き取りするリール駆動装置を備える。この種のリール駆動装置は、テープカセットの送り出し及び巻き取りリールが収められる送り出し及び巻き取リールテーブルにキャプスタンモーターの動力を選択的に伝達することで磁気テープを所定の経路に沿って正方向または逆方向に走行させる。
【０００３】
図１及び図２は、一般のリール駆動装置を備える磁気記録／再生装置を概略的に示す図である。
【０００４】
この磁気記録／再生装置は、ヘッドドラム１１と、送り出し及び巻き取りリール組立体１２、１３と、キャプスタンモーター１７とを含む。ヘッドドラム１１は、磁気テープに映像や音声情報を記録したり、その記録した映像や音声情報を再生したりするものであって、デッキシャーシ１０上面の上部に設けられる。送り出し及び巻き取りリール組立体１２、１３は、デッキシャーシ１０上面の下部に互いに所定の間隔を隔てて設けられ、テープカセットの送り出し及び巻き取りリールが収められる送り出し及び巻き取りリールテーブル１２ａ、１３ａを備える。キャプスタンモーター１７は、ヘッドドラム１１の近傍に設けられ、送り出し及び巻き取りリール組立体１２、１３に動力を伝達し、ピンチローラー１８と共に磁気テープを送り出すキャプスタン軸１７ａを有する。
【０００５】
送り出し及び巻き取りリール組立体１２、１３とキャプスタンモーター１７との間には、キャプスタンモーター１７の動力を送り出し及び巻き取りリール組立体１２、１３に伝達するリール駆動装置１が設けられている。
【０００６】
リール駆動装置１は、キャプスタンモーター１７のモーターギア１７ｂと噛み合うキャプスタンギア１９と、伝動ベルト１６によりキャプスタンギア１９の駆動プーリー部１９ａと連動する被動プーリー部１４ａを有する駆動ギア１４と、駆動ギア１４の回転方向に沿って送り出しリール組立体１２の送り出しリールギア１２ｂまたは巻き取りリール組立体１３の巻き取りリールギア１３ａと選択的に噛み合うアイドルギア１５とを備える。
【０００７】
キャプスタンモーター１７の動力は、キャプスタンギア１９、及び伝動ベルト１６を介して駆動ギア１４に伝達され、駆動ギア１４に伝達された動力は、駆動ギア１４の回転方向に沿って駆動ギア１４の駆動軸２１を中心に旋回するアイドルギア１５を介して送り出しリールギア１２ｂまたは巻き取りリールギア１３ｂに伝達される。
【０００８】
しかし、このように構成されたリール駆動装置１は、伝動ベルト１６がデッキシャーシ１０の上面に設置されることにより、デッキシャーシ１０の上面に配されるポールベース組立体（図示せず）、ピンチローラー組立体（図示せず）などのような他のデッキ構成部品の設置空間が縮小し、その結果、デッキの構造が複雑になり、デッキを小型化し難いという不具合がある。
【０００９】
かかる問題点を解決するために、図３に示すように、キャプスタンモーター１７′のモーターギア１７ｂ′、駆動プーリー部１９ａ′を有するキャプスタンギア１９′、伝動ベルト１６′、及び駆動ギア１４′の被動プーリー部１４ａ′をデッキシャーシ１０の下面に配するように構成したリール駆動装置１′が提案されたことがある。
【００１０】
この種のリール駆動装置１′では、多数の構成部品をデッキシャーシ１０の下面に移して配することにより、デッキシャーシ１０の上面に配される他の構成部品のための設置空間が縮小する問題は解決されたものの、駆動ギア１４′が、デッキシャーシ１０から被動プーリー部１４ａ′の厚さ分下方に陥没した固定ブラケット２０に固定された駆動軸２１を中心に上方に突設しているため、リール駆動装置１′の組立時における、伝動ベルト１６′を駆動プーリー部１９ａ′と被動プーリー部１４ａ′との間に介装させる組立作業に手間がかかるという不具合がある。
【００１１】
即ち、伝動ベルト１６′の組立作業は、デッキシャーシ１０の上面において固定ブラケット２０の駆動軸２１で駆動ギア１４′を軸支した後、伝動ベルト１６′の一端部を駆動ギア１４′の被動プーリー部１４ａ′に掛け、伝動ベルト１６′の他端部をデッキシャーシ１０と固定ブラケット２０との間の空間２４を通ってデッキシャーシ１０の下面に押し込んだ後、デッキシャーシ１０を裏返しして伝動ベルト１６′の他端部をキャプスタンギア１９′の駆動プーリー部１９ａ′に掛ければ完了する。しかし、伝動ベルト１６′の他端部をキャプスタンギア１９′の駆動プーリー部１９ａ′に掛けるためにデッキシャーシ１０を裏返しするとき、伝動ベルト１６′の一端部が被動プーリー部１４ａ′から離脱したり、伝動ベルト１６′の他端部がデッキシャーシ１０と固定ブラケット２０との間の空間２４から抜けることがある。この場合、作業者は、デッキシャーシ１０を裏返しして伝動ベルト１６′の一端部を被動プーリー部１４ａ′に掛けたり、伝動ベルト１６′の他端部をデッキシャーシ１０と固定ブラケット２０との間の空間２４を通ってデッキシャーシ１０の下面に押し込む作業を繰り返し行ったりする必要がある。
【００１２】
このように、伝動ベルト１６′の組立作業は、デッキシャーシ１０の上面と下面を裏返しするといった煩わしい動作を必要とするのみならず、デッキシャーシ１０を裏返しするときに伝動ベルト１６′の一端部が被動プーリー部１４ａ′から離脱すると、最初から組立作業をやり直す必要があるという煩わしさがある。
【００１３】
また、従来のリール駆動装置１（または１′）は、アイドルギア１５がデッキシャーシ１０の上面において駆動ギア１４（または１４′）の回転方向に沿って旋回する構造を有するため、製造公差などによってアイドルギア１５がデッキシャーシ１０の上面に接触したり干渉したりする問題が多く発生する。このようにアイドルギア１５がデッキシャーシ１０の上面に接触したり干渉したりすれば、そこから騒音が発生し、さらには、キャプスタンモーター１７の動力が送り出しリール組立体１２の送り出しリールギア１２ｂまたは巻き取りリール組立体１３の巻き取りリールギア１３ｂに伝達されないといった動作不良が発生することがある。
【発明の開示】
【発明が解決しようとする課題】
【００１４】
本発明は、前記のような問題点を解決するためになされたものであって、その目的は、組立が容易で且つより安定して駆動できるリール駆動装置及びそれを有する磁気記録／再生装置を提供することにある。
【課題を解決するための手段】
【００１５】
前記目的を達成するために、本発明に係るリール駆動装置は、デッキシャーシの下方に少なくとも一部が突出するように設けられた駆動部と、駆動部に動力を伝達する伝動部と、前記駆動部と噛み合い、前記駆動部の回転方向に沿って複数のリールテーブルに選択的に動力を伝達する動力切り換え部と、前記駆動部を支持する固定部とを含む。
【００１６】
前記駆動部が、前記伝動部と連動する被動プーリー部及び前記動力切り換え部と噛み合う第１のギア部を含む駆動ギアを含むことが好ましい。
【００１７】
また、前記固定部が、前記デッキシャーシの上方に所定の距離を有して突設され、前記被動プーリー部を前記デッキシャーシの下方に少なくとも一部突出するように支持することが好ましい。ここで、前記固定部が、前記駆動部を支持する駆動軸を固定する固定ブラケットを含むことがよい。
【００１８】
また、前記伝動部が、キャプスタンモーターと連結され駆動プーリー部を備えるキャプスタンギアと、前記駆動プーリー部と前記被動プーリー部とを連動する伝動ベルトとを含むことが好ましい。
【００１９】
さらに、前記動力切り換え部が、アイドルギアと、前記アイドルギアを前記第１のギア部と噛み合わせて支持し、前記アイドルギアを前記駆動軸に対し旋回するように支持するアイドルプレートとを含むことが好ましく、騒音または動作不良が発生しないように、逃避開口をさらに含むことがより好ましい。
【００２０】
本発明の目的は、デッキシャーシに設けられ、テープカセットのリールが収められる複数のリールテーブルと、前記デッキシャーシに設けられたキャプスタンモーターと、デッキシャーシの下方に少なくとも一部が突出するように、前記２つのリールテーブルの間に設けられた駆動部と、前記デッキシャーシの下面に配され、前記キャプスタンモーターの動力を前記駆動部に伝達する伝動部と、前記駆動部と連動し、前記駆動部の回転方向に沿って前記リールテーブルのいずれかに選択的に動力を伝達する動力切り換え部と、前記駆動部が回転できるように支持する固定部とを含む磁気記録／再生装置によっても達成される。
【００２１】
ここで、前記駆動部が、前記伝動部と連動する被動プーリー部及び前記動力切り換え部と噛み合う第１のギア部を含む駆動ギアを含み、前記固定部が、前記デッキシャーシの上方に所定の距離を有して突設され、固定ブラケットを含み、前記固定ブラケットが、前記被動プーリー部を前記デッキシャーシの下方に少なくとも一部突出するように支持する駆動軸を固定することが好ましい。
【００２２】
また、前記伝動部が、キャプスタンモーターと連結され駆動プーリー部を備えるキャプスタンギアと、前記駆動プーリー部と前記被動プーリー部とを連動する伝動ベルトとを含むことが好ましい。
【００２３】
また、前記動力切り換え部が、アイドルギアと、前記アイドルギアを前記第１のギア部と噛み合わせて支持し、前記アイドルギアを前記駆動軸に対し旋回するように支持するアイドルプレートと、前記アイドルギアの動作軌跡に対応する面積及び大きさにて前記デッキシャーシに形成された逃避開口とを含むことが好ましい。
【発明の効果】
【００２４】
本発明に係るリール駆動装置及びそれを有する磁気記録／再生装置では、デッキシャーシの下面を仰向きに裏返しした状態で駆動部をデッキシャーシに固定可能な固定部を備えることにより、駆動部を組み付けた後、デッキシャーシを裏返しすることなく伝動ベルトを張設することができ、この結果、伝動ベルトの組み付けが容易になり、生産性が向上する効果を奏する。
【００２５】
また、本発明に係るリール駆動装置及びそれを有する磁気記録／再生装置では、アイドルギアの近傍のデッキシャーシに逃避開口が形成されているため、アイドルギアの動作時、アイドルギアがデッキシャーシと接触したり干渉したりすることで騒音を発生したり、アイドルギアが送り出し及び巻き取りリール組立体の送り出し及び巻き取りリールギアと連動しないといった作動不良が発生したりすることを防止することができる。
【発明を実施するための最良の形態】
【００２６】
以下、添付した図面に基づいて、本発明の好適な実施形態に係るリール駆動装置及びそれを有する磁気記録／再生装置について詳細に説明する。
【００２７】
図４〜図６は、本発明の好適な一実施形態に係るリール駆動装置を備える磁気記録／再生装置を概略的に示す。
【００２８】
該磁気記録／再生装置は、ヘッドドラム１１０と、送り出し及び巻き取りリール組立体１２０、１３０と、キャプスタンモーター１７０とを含む。ヘッドドラム１１０は、磁気テープに映像や音声情報を記録したり、その記録した映像や音声情報を再生したりするものであって、デッキシャーシ１００上面の上部に設けられる。送り出し及び巻き取りリール組立体１２０、１３０は、デッキシャーシ１００上面の下部に互いに所定の間隔を隔てて設けられる。送り出し及び巻き取りリール組立体１２０、１３０は、それぞれテープカセットの送り出し及び巻き取りリールが収められる送り出し及び巻き取りリールテーブル１２１、１３１と、送り出し及び巻き取りリールテーブル１２１、１３１を回動させるべくデッキシャーシ１００に固定された第１及び第２の回動軸１２５、１３５に回転自在に支持された送り出し及び巻き取りリールギア１２３、１３３とを備える。キャプスタンモーター１７０は、デッキシャーシ１００の上方に突設され、ピンチローラー１８０と共に磁気テープを挟み込んで送り出すキャプスタン軸１７０ａと、デッキシャーシ１００の下面に設けられ後述するリール駆動装置１０１の伝動部１６０を介して送り出し及び巻き取りリール組立体１２０、１３０に動力を伝達するモーターギア１７０ｂ（図５及び図６参照）とを備える。
【００２９】
送り出し及び巻き取りリール組立体１２０、１３０とキャプスタンモーター１７０との間には、キャプスタンモーター１７０の動力を送り出し及び巻き取りリール組立体１２０、１３０に伝達するリール駆動装置１０１が設けられている。
【００３０】
リール駆動装置１０１は、駆動部１４０、伝動部１６０、動力切り換え部１４９及び固定部２２０から構成される。
【００３１】
駆動部１４０は、送り出し及び巻き取りリール組立体１２０、１３０の間に設けられた駆動ギア１４１から構成される。図６に示すように、駆動ギア１４１は、下部に配された大口径の被動プーリー部１４５、及び上部に配された小口径の第１のギア部１４２を備える。駆動ギア１４１は、被動プーリー部１４５がデッキシャーシ１００の下面において下方に突出するように第１のワッシャ２１５により、後述する固定部２２０を構成する固定ブラケット２２１に固定された駆動軸２１０に回動自在に軸支される。
【００３２】
伝動部１６０は、デッキシャーシ１００の下面に配され、キャプスタンモーター１７０のモーターギア１７０ｂの動力を駆動部１４０の駆動ギア１４１の被動プーリー部１４５に伝達する。伝動部１６０は、キャプスタンモーター１７０のモーターギア１７０ｂと噛み合う第２のギア部１９５と駆動プーリー部１９１を備えるキャプスタンギア１９０、及びキャプスタンギア１９０の駆動プーリー部１９１と駆動ギア１４１の被動プーリー部１４５とを連動する伝動ベルト１６１から構成される。キャプスタンギア１９０は、キャプスタンモーター１７０の近傍でデッキシャーシ１００に固定された第３の回動軸１９６に第２のワッシャ１９８により回動自在に軸支される。
【００３３】
動力切り換え部１４９は、アイドルギア１５０と、アイドルギア１５０を駆動ギア１４１の第１のギア部１４２と噛み合わせて支持し、アイドルギア１５０を駆動軸２１０に対し旋回するように支持するアイドルプレート１５５と、逃避開口２３０とから構成される。
【００３４】
アイドルプレート１５５は、駆動ギア１４１の回転方向に沿ってアイドルギア１５０を時計回りまたは反時計回りに旋回させてアイドルギア１５０を送り出しリール組立体１２０の送り出しリールギア１２３、または巻き取りリール組立体１３０の巻き取りリールギア１３３に選択的に噛み合わせる。
【００３５】
逃避開口２３０は、アイドルギア１５０が時計回りまたは反時計回りに旋回する時における、アイドルギア１５０がデッキシャーシ１００と接触することで騒音または動作不良を発生させることを防止するために、アイドルギア１５０の近傍のデッキシャーシ１００に形成される。逃避開口２３０は、アイドルギア１５０の動作軌跡に対応する面積にて切開されている。
【００３６】
固定部２２０は、デッキシャーシ１００からデッキシャーシ１００の上方に所定の距離突出し、駆動ギア１４１が回転できるように支持する駆動軸２１０を下方に突出するように固定する
（外１）
2006054043.tif 000003
状固定ブラケット２２１から構成される。固定ブラケット２２１がデッキシャーシ１００の上方に突出する高さは、駆動ギア１４１が駆動軸２１０に取り付けられる時における、駆動ギア１４１の被動プーリー部１４５をデッキシャーシ１００の下方に突出させる高さと同じ高さに設定する。
【００３７】
従って、駆動部１４０の駆動ギア１４１は、図３に基づいて説明した従来のリール駆動装置１′の駆動ギア１４′とは異なって、デッキシャーシ１００の下面を仰向きに裏返しした状態で駆動ギア１４１を固定ブラケット２２１に固定された駆動軸２１０に取り付けた後、第１のワッシャ２１５で固定することにより簡単に組み付けることができ、これにより、伝動ベルト１６１は、駆動ギア１４１を駆動軸２１０に組み付けた後、デッキシャーシ１００を裏返しすることなく、駆動ギア１４１の被動プーリー部１４５とキャプスタンギア１９０の駆動プーリー部１９１との間に張設すれば簡単に組み立てられる。
【００３８】
このように構成された本発明に係るリール駆動装置１０１を有する磁気記録／再生装置の動作を、図４〜図６に基づいて詳細に説明する。
【００３９】
まず、磁気テープをテープカセットの巻き取りリールに巻き取る再生（プレイ）モード、または早送り（ファーストフォワード）モードについて説明する。
【００４０】
テープカセットの送り出し及び巻き取りリールが、送り出し及び巻き取りリールテーブル１２１、１３１に収められた後、ローディングモーター１４７が駆動されれば、磁気テープが公知の駆動機構（図示せず）により動作するテンションポール１４９、第１及び第２のガイドローラー１６１、１６２及び第１及び第２のスラントポール１７１、１７２によりヘッドドラム１１０側に送り出されると共に、ピンチローラー１８０とキャプスタン軸１７０ａとの間に挟み込まれる。
【００４１】
この状態で、キャプスタンモーター１７０が、一方向、例えば反時計回り（図５の時計回り）に駆動する。その結果、キャプスタンモーター１７０の動力は、モーターギア１７０ｂ、キャプスタンギア１９０、及び伝動ベルト１６１を介して駆動ギア１４１に伝達され、駆動ギア１４１が時計回りに回転する。
【００４２】
駆動ギア１４１が時計回りに回転することにより、アイドルプレート１５５により駆動ギア１４１の第１のギア部１４２と噛み合わせて支持されたアイドルギア１５０が反時計回りに回転しながら駆動軸２１０を中心に時計回りに旋回する。
【００４３】
その結果、図４に示すように、アイドルギア１５０が巻き取りリール組立体１３０の巻き取りリールギア１３３と噛み合い、巻き取りリールギア１３３と巻き取りリールギア１３３に連結された巻き取りリールテーブル１３１は時計回りに回転する。
【００４４】
従って、磁気テープがキャプスタンモーター１７０の動力により、ピンチローラー１８０とキャプスタン軸１７０ａとの間に挟み込まれた状態でテープカセットの送り出しリールから巻き取りリールの方に巻き取られる。
【００４５】
次いで、巻き戻しモードまたはレビューモードについて説明すれば、次の通りである。
【００４６】
磁気テープが再生モード、または早送りモードと同様に、ヘッドドラム１１０の方に送り出されると同時にキャプスタン軸１７０ａで挟み込まれた後、キャプスタンモーター１７０が他方向、即ち時計回り（図５の反時計回り）に駆動する。その結果、駆動ギア１４１がキャプスタンモーター１７０の動力により反時計回りに回転し、アイドルプレート１５５により駆動ギア１４１の第１のギア部１４２と噛み合わせて支持されたアイドルギア１５０が時計回りに回転しながら駆動軸２１０を中心に反時計回りに旋回する。
【００４７】
その結果、アイドルギア１５０が送り出しリール組立体１２０の送り出しリールギア１２３と噛み合い、送り出しリールギア１２３と送り出しリールギア１２３に連結された送り出しリールテーブル１２１が反時計回りに回転する。
【００４８】
従って、磁気テープがキャプスタンモーター１７０の動力により、ピンチローラー１８０とキャプスタン軸１７０ａとの間に挟み込まれた状態でテープカセットの巻き取りリールから送り出しリールの方に巻き取られる。
【００４９】
以上、本発明の好適な実施形態について図示し説明した。しかし、本発明は、上述した実施形態に限定されるものでなく、特許請求の範囲で請求する本発明の要旨と思想を逸脱することなく、当該発明に属する技術分野における通常の知識を有する者であれば誰でも種々の修正と変形実施が可能である。
【産業上の利用可能性】
【００５０】
本発明は、ビデオテープレコーダー、カムコーダーなどのような磁気記録再生装置に適用され、テープカセットのリールが収められるリールテーブルを回動するのに使用され得る。
【図面の簡単な説明】
【００５１】
【図１】従来のリール駆動装置を有する磁気記録再生装置の上面の概略平面図である。
【図２】図１に示す磁気記録再生装置の概略断面図である。
【図３】他の従来のリール駆動装置を有する磁気記録再生装置の概略断面図である。
【図４】本発明に係るリール駆動装置を有する磁気記録再生装置の上面の概略平面図である。
【図５】図４に示す磁気記録再生装置の下面の概略平面図である。
【図６】図４に示す磁気記録再生装置の概略断面図である。
【符号の説明】
【００５２】
１、１′、１０１  リール駆動装置
１０、１００  デッキシャーシ
１１、１１０  ヘッドドラム
１２、１３、１２０、１３０  リール組立体
１４、１４′、１４１  駆動ギア
１５、１５０  アイドルギア
１６、１６′、１６１  伝動ベルト
１７、１７０  キャプスタンモーター
１９、１９′、１９０  キャプスタンギア
２１、２１０  駆動軸
２０、２２１  固定ブラケット
１４０  駆動部
１４９  動力切り換え部
１５５  アイドルプレート
１６０  伝動部
２２０  固定部
【図１】
2006054043.tif 000004
【図２】
2006054043.tif 000005
【図３】
2006054043.tif 000006
【図４】
2006054043.tif 000007
【図５】
2006054043.tif 000008
【図６】
2006054043.tif 000009